(57)【特許請求の範囲】
【請求項１】
基台に可撓性を有する複数本の貫通状態とした吸入筒を取り付け、この基台を中空パイプの把手に取り付けて真空掃除機の吸気パイプに接続するようにしたもので、
上記吸入筒を円形状態や環状態に基台に配設し、清掃ブラシの外側に飛散する塵埃を吸引して捕集可能に吸入筒の先端部に清掃ブラシを基台の中心側に偏心状態として、これらの吸入筒が清掃ブラシの外側に位置するようにそれぞれ取り付け、上記清掃ブラシで清掃して飛散する塵埃を清掃ブラシの外側に位置する吸入筒の先端の開口部で吸引して捕集するようにしたことを特徴とするブラシ付き吸入筒の清掃具。
【請求項２】
吸入筒を円形状態や円環状態に基台に配設し、全ての吸入筒の先端部に清掃ブラシを基台の中心側に偏心状態としてそれぞれ取り付けて、これらの清掃ブラシの外側に吸入筒の先端の開口部を円環状態に配置したことを特徴とする請求項１に記載のブラシ付き吸入筒の清掃具。
【請求項３】
清掃ブラシを、根元が１．０〜１．５ｍｍ径の細径の一本の一体のもので、その端部側から０．１〜０．２ｍｍ径の多数本に分岐して軸心に対して放射状に開いて設けたことを特徴とする請求項１または２に記載のブラシ付き吸入筒の清掃具。
【請求項４】
貫通状態とした吸入筒の先端部をラッパ状に拡げ、このラッパ状の開口部の内周部に清掃ブラシを偏心状態として配設したことを特徴とする請求項１ないし３のいずれかに記載のブラシ付き吸入筒の清掃具。
【請求項５】
吸入筒の先端部のラッパ状に拡げた開口部の外側部の一部を内側に凹ませ、この凹ませた凹設部に清掃ブラシを配設したことを特徴とする請求項１ないし３のいずれかに記載のブラシ付き吸入筒の清掃具。
【発明の詳細な説明】
【技術分野】
【０００１】
本発明は、室内及び室外の広範な用途での掃除に用いられるブラシ付き吸入筒の清掃具に関するものである。
【背景技術】
【０００２】
古来から清掃具として使用されている「ホーキ」は、棒状をなす把手の先端に毛等の柔軟性を有するブラシ状のものを多数取付けて、把手を把持する清掃者の掃き操作によって清掃個所を掃き、当該個所に堆積する塵埃を掃き落とすようにして清掃するようにしたものである。
【０００３】
この種の「ホーキ」は、床、天井のコーナ、窓、障子の桟およびレール、家具の表面等、複雑な凹凸形状を有する清掃個所の清掃に、場所を選ばずに好便に使用できるという利点を有する反面、掃き落とされた塵埃の捕集作業が別途必要となるという欠点がある。
【０００４】
この点に着目して本願発明者は、特開２０１０−１１９４９４号公報のように真空掃除機の吸気パイプに取付け、該吸気パイプに吸込まれる吸気を塵埃の捕集に利用する清掃具を開発している。
【０００５】
この清掃具は、基台に可撓性を有する細径の中空棒を多数本取付け、中空棒の先端により清掃個所の塵埃を掃き出し、掃き出された塵埃をそれぞれの中空部を経て吸気パイプに吸引して、吸気パイプに接続された真空掃除機に捕集するようにしたものである。
【先行技術文献】
【特許文献】
【０００６】
【特許文献１】特開２０１０−１１９４９４号公報
【発明の開示】
【発明が解決しようとする課題】
【０００７】
このように特許文献１に開示された清掃具は、古来から使用されている「ホーキ」に塵埃の捕集機能を併せもたせたものであり、効率的な清掃を実施することができる反面、天井面や壁面、カーテン、電気製品、観葉植物、造形物、布団、ソフア等の清掃時に清掃ブラシの毛先で飛ばされた塵埃が外部側に飛散し、則埃が吸気パイプに吸引されず、周辺に飛散して落下したり、浮遊するという問題があった。
【０００８】
米国の論文には、有害物質生涯摂取の７８％を占める室内に付着しているアレルギーや癌の罹患率を高める最たる要因は有害物質を含む塵埃と言われ、室内での清掃時にはその有害物質を含む塵埃を撒き散らして室内環境をより悪化させるおそれが多分にあり、清掃本来の目的を大きく損なうという問題が指摘され、有害物質を含む塵埃を除去して、生活環境を改善を素早く、かつ効率よく行なえる清掃具の開発が課題であった。
【課題を解決するための手段】
【０００９】
本発明は、上記のような点に鑑みたもので、上記の課題を解決するために、  基台に可撓性を有する複数本の貫通状態とした吸入筒を取り付け、この基台を中空パイプの把手に取り付けて真空掃除機の吸気パイプに接続するようにしたもので、上記吸入筒を円形状態や環状態に基台に配設し、清掃ブラシの外側に飛散する塵埃を吸引して捕集可能に吸入筒の先端部に清掃ブラシを基台の中心側に偏心状態として、これらの吸入筒が清掃ブラシの外側に位置するようにそれぞれ取り付け、上記清掃ブラシで清掃して飛散する塵埃を清掃ブラシの外側に位置する吸入筒の先端の開口部で吸引して捕集するようにしたことを特徴とするブラシ付き吸入筒の清掃具を提供するにある。
【００１０】
また、吸入筒を円形状態や円環状態に基台に配設し、全ての吸入筒の先端部に清掃ブラシを基台の中心側に偏心状態としてそれぞれ取り付けて、これらの清掃ブラシの外側に吸入筒の先端の開口部を円環状態に配置したことを特徴とするブラシ付き吸入筒の清掃具を提供するにある。
【００１１】
また、清掃ブラシを、根元が１．０〜１．５ｍｍ径の細径の一本の一体のもので、その端部側から０．１〜０．２ｍｍ径の多数本に分岐して軸心に対して放射状に開いて設けたことを特徴とするブラシ付き吸入筒の清掃具を提供するにある。
【００１２】
さらに、貫２状態とした吸入筒の先端部をラッパ状に拡げ、このラッパ状の開口部の内周部に清掃ブラシを偏心状態として配設したことを特徴とするブラシ付き吸入筒の清掃具を提供するにある。
【００１３】
さらにまた、吸入筒の先端部のラッパ状に拡げた開口部の外側部の一部を内側に凹ませ、この凹ませた凹設部に清掃ブラシを配設したことを特徴とするブラシ付き吸入筒の清掃具を提供するにある。
【発明の効果】
【００１４】
本発明のブラシ付きの吸入筒の清掃具は、特許請求の範囲の請求項１のように、基台に可撓性を有する複数本の貫通状態とした吸入筒を取り付け、この基台を中空パイプの把手に取り付けて真空掃除機の吸気パイプに接続するようにしたもので、上記吸入筒を円形状態や環状態に基台に配設し、清掃ブラシの外側に飛散する塵埃を吸引して捕集可能に吸入筒の先端部に清掃ブラシを基台の中心側に偏心状態として、これらの吸入筒が清掃ブラシの外側に位置するようにそれぞれ取り付け、上記清掃ブラシで清掃して飛散する塵埃を清掃ブラシの外側に位置する吸入筒の先端の開口部で吸引して捕集するようにしたことによって、天井面や壁面、カーテン、電気製品、観葉植物、造形物、布団、ソフア等の清掃時に清掃ブラシで掃いたり、突っ付いたり、打ち掃いたりして、堆積したり、付着していた塵埃が清掃ブラシの外部側に飛散しても、清掃ブラシの外側部にそれぞれ基台の中心側に偏心状態として設けた吸入筒によってその先端の開口部に飛散する塵埃を吸引して捕集でき、塵埃が周辺に飛散するのを防止でき、有害物質を含む塵埃を除去して、生活環境を改善を素早く、かつ効率よく行なうことができる。
【００１５】
また、請求項２のように、吸入筒を円形状態や円環状態に基台に配設し、全ての吸入筒の先端部に清掃ブラシを基台の中心側に偏心状態としてそれぞれ取り付けて、これらの清掃ブラシの外側に吸入筒の先端の開口部を円環状態に配置したことによって、清掃具で清掃して上記のように塵埃が飛散するが、上記のように清掃ブラシの外側に設けた吸入筒の円環状態に配置した開口部に飛散する塵埃を吸引して捕集でき、塵埃が周辺に飛散するのを防止でき、効率よく清掃することができる。
【００１６】
また、請求項３のように、清掃ブラシを、根元が１．０〜１．５ｍｍ径の細径の一本の一体のもので、その端部側から０．１〜０．２ｍｍ径の多数本に分岐して軸心に対して放射状に毛先をそれぞれ開いて設けたことによって、清掃ブラシの根元が締められていなくて、細径の先端側の毛先が予め開いているので、この細径の先端側の毛先が形状が複雑な清掃個所等に対しても、掃いたり、突っ付いたり、打ち掃いたり、叩いたりして、これらの個所に湿気によって付着されている塵埃の付着を解除することにより、現在の真空掃除機でも吸引できるとともに、上記したように飛散する塵埃は清掃ブラシの外側部に設けた吸入筒の先端の開口部に塵埃を吸引して捕集でき、塵埃が周辺に飛散するのを防止でき、室内環境の改善に資する清掃を行なうことができる。
【００１７】
さらに、請求項４のように、貫通状態とした吸入筒の先端部をラッパ状に拡げ、このラッパ状の開口部の内周部に清掃ブラシを偏心状態として配設したことによって、天井面や壁面、電気製品、カーテン等の清掃時に吸入筒の先端部のラッパ状に拡げた開口部内の清掃ブラシで清掃できるとともに、飛散する塵埃をラッパ状の開口部内に効率よく吸い込んで清掃処理を行なっていくことができる。
【００１８】
さらにまた、請求項５のように、吸入筒の先端部のラッパ状に拡げた塵埃集塵の開口部の外側部の一部を内側に凹ませ、この凹ませた凹設部に清掃ブラシを配設したことによって、清掃ブラシのほぼ全周に近い吸引可能な範囲が得られて、清掃ブラシでの清掃時に吸入筒の先端部のラッパ状に拡げた開口部で飛散する塵埃を吸い込んで塵埃の清掃処理を行なっていくことができる。
【図面の簡単な説明】
【００１９】
【図１】本発明の清掃具の把手を接続した状態の斜視図、
【図２】同上の吸気パイプを接続した状態の一部切断した斜視断面図、
【図３】同上の吸入筒部の拡大斜視断面図、
【図４】同上の吸入筒部の先端部の側面図、
【図５】同上のそれぞれ清掃ブラシ部の斜視図（ａ）、（ｂ）、
【図６】同上のぞれぞれ清掃具の使用状態説明の写真（ａ）、（ｂ）、（ｃ）、
【図７】同上の清掃具の使用状態説明の斜視図、
【図８】同上の吸入筒の他の実施例の先端部の斜視図、
【図９】同上の吸入筒のさらに他の実施例の先端部の斜視図。
【発明を実施するための形態】
【００２０】
本発明のブラシ付き吸入筒の清掃具は、基台に可撓性を有する複数本の貫通状態とした吸入筒を取り付け、この基台を中空パイプの把手に取り付けて真空掃除機の吸気パイプに接続するようにしたもので、上記吸入筒を円形状態や環状態に基台に配設し、清掃ブラシの外側に飛散する塵埃を吸引して捕集可能に吸入筒の先端部に清掃ブラシを基台の中心側に偏心状態として、これらの吸入筒が清掃ブラシの外側に位置するようにそれぞれ取り付け、上記清掃ブラシで清掃して飛散する塵埃を清掃ブラシの外側に位置する吸入筒の先端の開口部で吸引して捕集するようにしたことを特徴としている。
【００２１】
ブラシ付き清掃具１は、図１、図２のように基台２に２０〜３２本の複数の吸入筒３を環状や円形状に配設して、この基台２を所定長さの中空パイプの把手４に接合し、真空掃除機（図示せず）の吸気パイプ５に挿脱可能に接続して吸引清掃できるようにしている。
【００２２】
そして、図３に示すように基台２の表面（図上では上側）は、蓋板６によって閉塞し、蓋板６の表面には裏面に連通する複数の支持管７を縦横に並設し、吸入筒３はそれぞれの基端に設けた大径部８を上記したそれぞれの支持管７に嵌装して蓋板６の表面に垂直に立設している。
【００２３】
吸入筒３は３軸心部を全長にわたって貫通する貫通孔９を有する薄肉の中空パイプで、塩化ビニル等の軟質樹脂製の適宜の可撓性を有したもので、合計数で吸気パイプ５の断面積と相当する面積量とし、図４のように吸入筒３の先端部に貫通孔９のラッパ状とした開口部１０の外側にブラシ取付台１１を設けて、清掃ブラシ１２を取り付けるようにしている。
【００２４】
清掃ブラシ１２は、図５（ａ）や（ｂ）のように一本の一体のものとした根元部１３から分岐して毛先を開いた状態に多数本のブラシ毛１４を備えて、図４のように根元部１３をブラシ取付台１１に差し込み、基台２の中心側に吸入筒３が清掃ブラシ１２の外側に位置するようにそれぞれ基台２に取り付けるようにしている。
【００２５】
清掃ブラシ１２は、１．０〜１．５ｍｍ径の細径のナイロン、ポリプロピレン等の合成樹脂材で、その端部側から０．１〜０．２ｍｍ径の微細径の２０〜３０本の多数本に分岐して、軸心に対して放射状にブラシ毛１４を１０〜２０ｍｍ程突き出し、図６（ａ）〜（ｃ）のように観葉植物の葉っぱ、仏像等の造形物の複雑形状物に柔らかく、撫でるように掃いたり、突っ付いたり、軽く叩いたりして清掃できるようにしている。特に、強度があって、柔軟性のあるポリアミド系、ポリエステル等の熱可塑性樹脂や、ゴム弾性のあるポリウレタン、ポリアミド等の熱可塑性エラストマーで形成することもできる。
【００２６】
上記基台２に取り付けられた吸入筒３を、把手４を把持して基台２を振り動かすと、蓋板６の取付け部を支えとして柔軟に撓み、吸入筒３の先端に設けた清掃ブラシ１２の先端で近接する天井面や壁面、カーテン、電気製品、観葉植物、造形物、布団、ソフア等の清掃個所を掃いたり、突っ付いたり、打ち掃くように作用する。
【００２７】
このように吸入筒３が撓んで清掃個所を各吸入筒３の先端に設けた清掃ブラシ１２で、図６（ａ）〜（ｃ）のように観葉植物の葉っぱ、仏像等の造形物の清掃個所を掃いたり、突っ付いたり、打ち掃くように作用し、当該清掃個所に堆積したり、付着した塵埃の付着状態を解除し、直ちに吸い取ることができる。従来の根元を締め付けられたブラシでは、やや先端が開いてはいるものの、ランダムな動きを締め付け力によって妨げられ、清掃個所の凹凸及びコーナーにまとまった状態で接触することとなり、一部の方向のみの付着解除となり、塵埃残置となるおそれが多分にあったが、本発明の清掃ブラシ１２では一本の一体のものとした細径の根元部１３から先端を開いた状態で微細径に分岐したブラシ毛１４によって、図６（ａ）〜（ｃ）のように観葉植物の葉っぱ、仏像等の造形物のコーナー及び凹凸を含む複雑な形状や柔らかい清掃個所に対しても、種々の方向から柔らかく接触して塵埃の付着状態を解除し、直ちに吸い取ることができる。
【００２８】
そして各吸入筒３は、それぞれ貫通孔９および支持管７を介して基台２および把手４の中空部に連通し、把手４の後端部に接続した吸気パイプ５を介して真空掃除機の吸気により、図７のように複数の吸入筒３の先端周辺の空気をラッパ状の開口部１０から清掃ブラシ１２の外部側に飛散する塵埃を吸い込み捕集することかできる。
【００２９】
上記では、清掃ブラシ１２、吸入筒３は、基台２に２列状のやや変形した円環状に配設したが、１列の円環状や円形状に配設することもできる。なお、内側の吸入筒３も、被掃体の形状によっては、最外部に赴くことがままあるので、全ての清掃ブラシ１２を内側に取り付けるのが好ましい。
【００３０】
また、吸入筒３の先端部は、上記したものに限らず、図８のようにラッパ状の開口部１０内に偏心状態として清掃ブラシ１２を内側に位置するように偏心して内装したり、図９のように吸入筒３の先端部のラッパ状の開口部１０の一部を内側に凹ませて、その凹ませた凹設部１５に清掃ブラシ１２を配設し、吸入筒３のラッパ状の開口部１０に清掃ブラシ１２のほぼ全周に近い吸引可能な範囲を得て、塵埃を捕集するようにもできる。
【００３１】
上記では、本発明について、いろいろな実施態様例を含めて説明したが、本発明の趣旨にもとづいて構成部材の置換手段や代替手段等の変形態様も実施可能である。
【実施例】
【００３２】
図１以下は、本発明の実施例を示すものである。ブラシ付き吸入筒の清掃具１は、図１〜図３のように基台２に３２本の所要径、所要長さの吸入筒３を二重の円環状に配設して、所定長さの中空パイプの把手４に接合し、真空掃除機の吸気パイプ５に挿脱可能に接続して吸引清掃できるようにしたものである。
【００３３】
吸入筒３は、図３〜図５のように軸心部を全長にわたって貫通する貫通孔９を有する薄肉の中空のパイプで、塩化ビニルの軟質樹脂製の適宜の可撓性を有したものとしており、図４のようにこれらの吸入筒３の先端部に前記貫通孔９の開口部１０の外側にブラシ取付台１１を設けて、基台２の中心側に位置するように清掃ブラシ１２を取り付けている。
【００３４】
清掃ブラシ１２は、図５（ａ）のように１本のナイロンの１．２ｍｍ径の根元部１３から分岐して０．１ｍｍ径の毛先を開いた状態に約３０本のブラシ毛１４を１０ｍｍ長さとして備え、その根元部１３をブラシ取付台１１に差し込み、基台２の中心側に吸入筒３が清掃ブラシ１２の外側に位置するようにそれぞれ基台２に取り付けている。
【００３５】
しかして、たとえば、床から天井間の清掃個所にあっては、清掃具１を清掃個所に対向して清掃具１の吸入筒３を把手４を把持して基台２を振り動かすと、蓋板６の取付け部を支えとして柔軟に撓み、先端に設けた清掃ブラシ１２で清掃個所を撫でるようにして接触して掃くように作用し、清掃個所に堆積、付着した塵埃を清掃ブラシ１２が最も吸い取り易い位置にあることにより、従来のようにブラシによって吸引を妨げされるおそれの少ない状態で、塵埃を捕集するようにできる。そして、堆積したり、付着していた塵埃が清掃ブラシ１２の外部側に飛散しても、図７のように清掃ブラシ１２の外側部に設けた吸入筒３によってその先端の開口部１０に飛散する塵埃を吸引して捕集でき、塵埃が周辺に飛散するのを防止できて綺麗に清掃することができる。
【００３６】
たとえば、図６（ａ）のように観葉植物にあっては、上記したように清掃ブラシ１２の根元部１３から分岐して毛先を開いたブラシ毛１４で葉っぱ等の上を軽く叩いたり、柔らかく打ち掃いて、葉っぱ等に付着した塵埃を落下させて、清掃ブラシ１２の外側部に設けた吸入筒３の先端の開口部１０に塵埃を吸引して捕集でき、塵埃が周辺に飛散するのを防止でき、綺麗に清掃することができる。
【００３７】
また、図６（ｂ）、（ｃ）のように仏像のような造形物にあっては、清掃ブラシ１２の根元部１３から分岐して毛先を開いたブラシ毛１４で、仏像の形状が複雑な手等の凸凹状態の清掃個所等に対して突っ付いたりして、これらの個所に馴染んで付着した塵埃を綺麗に清掃でき、飛散する塵埃を清掃ブラシ１２の外側部に設けた吸入筒３の先端の開口部１０に塵埃を吸引して捕集して、塵埃が周辺に飛散するのを防止でき、綺麗に清掃することができる。なお、必要により、清掃個所に対応して、図のように適宜の本数の清掃ブラシ１２を立設して清掃するようにもできる。
【００３８】
またさらに、布団、ソフア、クッション等にあっては、吸入筒３で軽く叩き、内部に潜っていたダニや塵埃を放出し、清掃ブラシ１２の外側部に設けた吸入筒３の先端の開口部１０にダニや塵埃を吸引して捕集して、塵埃が周辺に飛散するのを防止でき、綺麗に清掃することができる。
【００３９】
このように吸入筒３で叩いたり、各吸入筒３の先端に設けた清掃ブラシ１２で清掃個所を掃いたり、突っ付いたり、打ち掃くように作用し、図７のように叩き出された塵埃等は飛散するが、清掃ブラシ１２の外側に設けた吸入筒３の円環状態に配置したそれぞれの開口部１０で飛散する塵埃を吸引して捕集して、基台２、把手４の中空部、吸気パイプ５を経て真空掃除機に回収して清掃していくことができる。
【００４０】
図８は、本発明の他の実施例で、吸入筒３の先端部のラッパ状の開口部１０内に清掃ブラシ１２を内側に位置するように偏心して内装したものである。本実施例では、吸入筒３の先端部のラッパ状の開口部１０の内周部に清掃ブラシ１２を偏心状態として配設して、天井面や壁面、電気製品、カーテン、観葉植物、造形物等の清掃時に吸入筒３の先端部のラッパ状に拡げた開口部１０内の清掃ブラシ１２で清掃できるとともに、飛散する塵埃をラッパ状の開口部１０内に吸い込んで清掃処理を行なっていくことができる。
【００４１】
図９は、本発明のさらに他の実施例で、吸入筒３の先端部のラッパ状のように吸入筒３の先端部のラッパ状の開口部１０の一部を内側に凹ませて、その凹ませた凹設部１５に清掃ブラシ１２を配設したものである。本実施例では、吸入筒３のラッパ状の開口部１０に清掃ブラシ１２を装着して、清掃ブラシ１２のほぼ全周に近い吸引範囲を得て、塵埃を捕集するようにできる。
【００４２】
このように本発明のブラシ付きの吸入筒の清掃具１は、清掃ブラシ１２で清掃して飛散する塵埃を清掃ブラシ１２の外側に位置する吸入筒３の先端の開口部１０で吸引して捕集でき、天井面や壁面、カーテン、観葉植物等の清掃個所に堆積したり、付着し、内部に蓄積していた塵埃等が周辺に飛散するのを防止でき、綺麗に清掃することができる。
【産業上の利用可能性】
【００４３】
本発明の清３具は、室内及び室外の用途での掃除用に利用することかできる。
【符号の説明】
【００４４】
１…清掃具        ２…基台      ３…吸入筒      ４…把手      ９…貫通孔
１０…開口部      １２…清掃ブラシ    １５…凹設部
【図１】
0006391116.tif 000002
【図２】
0006391116.tif 000003
【図３】
0006391116.tif 000004
【図４】
0006391116.tif 000005
【図５】
0006391116.tif 000006
【図６】
0006391116.tif 000007
【図７】
0006391116.tif 000008
【図８】
0006391116.tif 000009
【図９】
0006391116.tif 000010